(57)【要約】【課題】交換部品の寿命情報を簡易な構成で記録することができる寿命情報記録装置および画像形成装置を提供する。【解決手段】この寿命情報記録装置１０は、画像形成装置１００の固定側に設けられ、所定の領域に電磁波を発生するカプラ２０と、交換部品としての感光体ドラム１１１の所定の領域を通過する位置に設けられ、所定の領域を通過する度に電磁波から電源を生成する電源生成回路と、感光体ドラム１１１に設けられた不揮発性メモリと、電源生成回路から電源が供給されるとき、その回数を不揮発性メモリに書き込んで更新する書き換え回路とを備える。【選択図】図１
2008286847.tif 000002
【特許請求の範囲】
【請求項１】
固定側に設けられ、所定の領域に電磁波を発生する電磁波発生部と、
前記固定側に対して移動する交換部品の前記所定の領域を通過する位置に設けられ、前記所定の領域を通過する度に前記電磁波を検出する検出部と、
前記交換部品に設けられた不揮発性メモリと、
前記検出部により前記電磁波が検出される度にその回数を前記不揮発性メモリに書き込んで更新する書き換え部とを備えた寿命情報記録装置。
【請求項２】
前記検出部は、前記電磁波から電源を生成する電源生成部を備え、
前記書き換え部は、前記電源生成部から前記電源が供給されたとき、前記不揮発性メモリが記憶する前記回数を書き換える請求項１に記載の寿命情報記録装置。
【請求項３】
前記交換部品側に、前記電磁波発生部から発生した前記電磁波により共振する共振回路と、前記不揮発性メモリが記憶する前記回数を読み出して変調し、それを前記共振回路から負荷変調信号として送信する読み出し部とを備えた請求項１に記載の寿命情報記録装置。
【請求項４】
前記固定側に、アンテナコイルと、前記アンテナコイルを共振させて前記電磁波を発生させる発振回路と、前記共振回路から送信された前記負荷変調信号を前記アンテナコイルにより受信し、その負荷変調信号を復調して前記回数を受信する受信回路とを備えた請求項３に記載の寿命情報記録装置。
【請求項５】
前記読み出し部は、前記書き換え部が前記回数を前記不揮発性メモリに書き込んだ後、前記不揮発性メモリから前記回数を読み出して送信する請求項３に記載の寿命情報記録装置。
【請求項６】
前記読み出し部は、前記書き換え部が前記回数を前記不揮発性メモリに書き込む前に前記不揮発性メモリから前記回数を読み出し、その回数をインクリメントして送信する請求項３に記載の寿命情報記録装置。
【請求項７】
固定側に設けられ、所定の領域に電磁波を発生する電磁波発生部と、
画像形成動作に伴って前記固定側に対して移動する交換部品と、
前記交換部品の前記所定の領域を通過する位置に設けられ、前記所定の領域を通過する度に前記電磁波を検出する検出部と、
前記交換部品に設けられた不揮発性メモリと、
前記検出部により前記電磁波が検出される度にその回数を前記不揮発性メモリに書き込んで更新する書き換え部とを備えた画像形成装置。
【請求項８】
前記交換部品は、感光体又は中間転写ベルトである請求項７に記載の画像形成装置。
【発明の詳細な説明】
【技術分野】
【０００１】
本発明は、寿命情報記録装置および画像形成装置に関する。
【背景技術】
【０００２】
交換部品の中には、感光体ドラムのように寿命情報として総回転数が重要なものがある。この回転数の情報を無線を利用してメモリに記憶するようにした画像形成装置が提案されている（例えば、特許文献１参照。）。
【０００３】
この画像形成装置は、感光体ドラムカートリッジに不揮発性メモリによる感光体ドラムメモリを設け、装置本体に感光体ドラムメモリと無線通信可能な信号処理部を設けたものであり、信号処理部により、感光体ドラムメモリと無線による通信を行い、感光体ドラムメモリに、感光体ドラムの寿命情報として累積使用印字枚数を書き込み更新する。
【特許文献１】特開平１１−３３８３２９号公報
【発明の開示】
【発明が解決しようとする課題】
【０００４】
本発明の目的は、交換部品の寿命情報を簡易な構成で記録することができる寿命情報記録装置および画像形成装置を提供することにある。
【課題を解決するための手段】
【０００５】
本発明の一態様は、上記目的を達成するため、以下の寿命情報記録装置および画像形成装置を提供する。
【０００６】
［１］固定側に設けられ、所定の領域に電磁波を発生する電磁波発生部と、前記固定側に対して移動する交換部品の前記所定の領域を通過する位置に設けられ、前記所定の領域を通過する度に前記電磁波を検出する検出部と、前記交換部品に設けられた不揮発性メモリと、前記検出部により前記電磁波が検出される度にその回数を前記不揮発性メモリに書き込んで更新する書き換え部とを備えた寿命情報記録装置。
【０００７】
［２］前記検出部は、前記電磁波から電源を生成する電源生成部を備え、前記書き換え部は、前記電源生成部から前記電源が供給されたとき、前記不揮発性メモリが記憶する前記回数を書き換える前記［１］に記載の寿命情報記録装置。
【０００８】
［３］前記交換部品側に、前記電磁波発生部から発生した前記電磁波により共振する共振回路と、前記不揮発性メモリが記憶する前記回数を読み出して変調し、それを前記共振回路から負荷変調信号として送信する読み出し部を備えた前記［１］に記載の寿命情報記録装置。
【０００９】
［４］前記固定側に、アンテナコイルと、前記アンテナコイルを共振させて前記電磁波を発生させる発振回路と、前記共振回路から送信された前記負荷変調信号を前記アンテナコイルにより受信し、その負荷変調信号を復調して前記回数を受信する受信回路とを備えた前記［３］に記載の寿命情報記録装置。
【００１０】
［５］前記読み出し部は、前記書き換え部が前記回数を前記不揮発性メモリに書き込んだ後、前記不揮発性メモリから前記回数を読み出して送信する前記［３］に記載の寿命情報記録装置。
【００１１】
［６］前記読み出し部は、前記書き換え部が前記回数を前記不揮発性メモリに書き込む前に前記不揮発性メモリから前記回数を読み出し、その回数をインクリメントして送信する前記［３］に記載の寿命情報記録装置。
【００１２】
［７］固定側に設けられ、所定の領域に電磁波を発生する電磁波発生部と、画像形成動作に伴って前記固定側に対して移動する交換部品と、前記交換部品の前記所定の領域を通過する位置に設けられ、前記所定の領域を通過する度に前記電磁波を検出する検出部と、前記交換部品に設けられた不揮発性メモリと、前記検出部により前記電磁波が検出される度にその回数を前記不揮発性メモリに書き込んで更新する書き換え部とを備えた画像形成装置。
【００１３】
［８］前記交換部品は、感光体又は中間転写ベルトである前記［７］に記載の画像形成装置。
【発明の効果】
【００１４】
請求項１に係る寿命情報記録装置によれば、交換部品の寿命情報を簡易な構成で記録することができる。
【００１５】
請求項２に係る寿命情報記録装置によれば、電池が不要になり、交換部品側の構成を小型、軽量化することができる。
【００１６】
請求項３に係る寿命情報記録装置によれば、非接触で回数データを送信することができ、信頼性が向上する。
【００１７】
請求項４に係る寿命情報記録装置によれば、この寿命情報記録装置を適用した固定側で寿命情報を取得することができる。
【００１８】
請求項５に係る寿命情報記録装置によれば、読み出し部でデータをインクリメントする場合と比較して読み出し部の構成を簡素化できる。
【００１９】
請求項６に係る寿命情報記録装置によれば、交換部品の移動速度が比較的速い場合でも、検出部が電磁波の領域を通過する間に不揮発性メモリが記憶する回数を更新し、送信することが可能となる。
【００２０】
請求項７に係る画像形成装置によれば、交換部品の寿命情報を簡易な構成で記録することができる。
【００２１】
請求項８に係る画像形成装置によれば、交換部品として重要な感光体又は中間転写ベルトの寿命情報を簡易な構成で記録することができる。
【発明を実施するための最良の形態】
【００２２】
［第１の実施の形態］
図１は、本発明の実施の形態に係る画像形成装置の概略の構成例を示す図である。この画像形成装置１００は、中間転写ベルト３を用いたタンデム型のものであり、原稿（図示省略）が載置されるプラテンガラス等の透明の原稿載置台１０１と、原稿載置台１０１上に載置された原稿を光学的に走査して原稿から画像データを読み取る画像読取部１０２と、画像読取部１０２が読み取った画像データを各色（ブラック，イエロー，マゼンタ，シアン）のカラー画像データに色分解し、各カラー画像データに所定の画像処理を施す画像処理部１０３と、画像処理部１０３による画像処理後の各カラー画像データに基づいて、ブラック（Ｋ）のトナー像を転写する第１の画像形成ユニット１１０と、イエロー（Ｙ）のトナー像を転写する第２の画像形成ユニット１２０と、マゼンタ（Ｍ）のトナー像を転写する第３の画像形成ユニット１３０と、シアン（Ｃ）のトナー像を転写する第４の画像形成ユニット１４０とを備える。
【００２３】
また、画像形成装置１００は、各画像形成ユニット１１０，１２０，１３０，１４０の下部に設けられ、複数のローラ（駆動ローラ２Ａ，従動ローラ２Ｂおよび２次転写定着ローラ１５４Ａ）に張架された無端状の中間転写ベルト３を駆動するベルト駆動装置１と、中間転写ベルト３上の２次転写定着部（２次転写定着ローラ１５４Ａ，１５４Ｂ間のニップ部）３ａを通過するように形成された用紙搬送路１５０と、記録用紙Ｐを所定のタイミングで２次転写定着部３ａに送り込むレジストローラ１５１と、中間転写ベルト３が張架された２次転写定着ローラ１５４Ａにベルト３を介して対向配置され、中間転写ベルト３に１次転写されたトナー像を記録用紙Ｐに一括して２次転写するとともに、定着して図示しないトレーに排出する２次転写定着ローラ１５４Ｂと、中間転写ベルト３を除電する除電器１５５と、中間転写ベルト３の表面を清掃するクリーナー１５６と、画像形成装置１００全体の制御を行う主制御部（図示省略）とを有して概略構成されている。
【００２４】
各画像形成ユニット１１０，１２０，１３０，１４０は、感光体ドラム１１１と、露光前の感光体ドラム１１１に所定の電荷を付与する露光用帯電器１１２と、感光体ドラム１１１を対応するカラー画像データに基づいて変調されたレーザービームで露光して静電潜像を形成する露光部１１３と、感光体ドラム１１１に形成された静電潜像を対応するカラー（Ｋ，Ｙ，Ｍ，Ｃ）のトナーで現像する現像器１１４と、トナー像の１次転写位置に配置されて所定の電荷を付与する転写用帯電器１１５と、感光体ドラム１１１に残留したトナーを除去するクリーナー１１６と、感光体ドラム１１１を除電する除電器１１７とを備える。
【００２５】
（寿命情報記録装置）
また、本画像形成装置１００は、交換部品としての感光体ドラム１１１の寿命情報を記録する複数の寿命情報記録装置１０を備えている。寿命情報記録装置１０は、画像形成装置１００の固定側に設けられたカプラ２０と、感光体ドラム１１１側に設けられたタグ３０とを備える。ここで、寿命情報とは、交換部品の回転移動、平行移動等の動作回数をいい、感光体ドラム１１１の場合は、総回転数である。
【００２６】
図２および図３は、寿命情報記録装置１０の一例を示し、図２（ａ）は、斜視図、図２（ｂ）は、正面図、図３は、回路図である。寿命情報記録装置１０は、図２に示すように、感光体ドラム１１１の近傍に設けられ、所定の領域２１０ａに電磁波を発生するカプラ２０と、感光体ドラム１１１の電磁波が発生する領域２１０ａを通過する位置に設けられたタグ３０とを備える。第１のアンテナコイル２１０とタグ３０との間の距離（通信距離）は、例えば、２〜１０ｍｍ程度であるが、これに限定されない。なお、タグ３０が設けられる位置は、４つの感光体１１１に対して同一の位置でも異なる位置でもよい。例えば、前後に交互に配置してもよい。
【００２７】
（カプラ）
カプラ２０は、図３に示すように、電磁波を発生するアンテナ回路２１と、アンテナ回路２１をタグ３０の共振周波数と同じ又は近似した周波数で共振させる発振回路２２と、タグ３０から送信された負荷変調信号を復調して回数データを受信する受信回路２３とを備える。なお、アンテナ回路２１および発振回路２２は、電磁波発生部を構成する。
【００２８】
アンテナ回路２１は、直列共振回路を構成する第１のアンテナコイル２１０およびコンデンサ２１１と、第１のアンテナコイル２１０と受信回路２３との間に接続されたダイオード２１０とを備える。
【００２９】
発振回路２２は、タグ３０の共振周波数と同じ又は近似した周波数で発振する発振器を備えるが、データを送信する必要がないため、変調回路は備えていない。発振回路２２の発振周波数は、１２５ＫＨｚ、１３．５６ＭＨｚ他、ＩＳＭ(Industry Science Medical)帯域周波数等を使用可能であるが、これらに限定されない。
【００３０】
受信回路２３は、アンテナ回路２１が受信したタグ３０からの負荷変調信号を復調し、回数データを取得する。なお、取得した回数データを画像処理部１０３等に送信して画像調整等に利用してもよい。
【００３１】
（タグ）
タグ３０は、図３に示すように、共振回路３１と、共振回路３１に発生した交流電圧から電源を生成する電源生成回路３２と、データを書き換え可能に記憶する不揮発性メモリ３３と、不揮発性メモリ３３の記憶内容を書き換える書き換え回路３４と、不揮発性メモリ３３からデータを読み出す読み出し回路３５とを備える。なお、共振回路３１および電源生成回路３２は、電磁波を検出する検出部として機能する。
【００３２】
共振回路３１は、並列共振回路を構成する第２のアンテナコイル３１０およびコンデンサ３１１Ａと、並列共振回路に並列に接続されて直列回路を構成するコンデンサ３１１Ｂおよび電界効果トランジスタ３１２とを備える。なお、負荷変調として、コンデンサ３１１Ｂの代わりに抵抗を用いてもよい。共振回路３１が出力する電圧波形については後述する。
【００３３】
電源生成回路３２は、共振回路３１で発生した交流電圧（共振回路電圧）をダイオードで整流し、コンデンサで平滑化することで電源を生成する。そして、共振回路３１が出力する共振回路電圧が一定（例えば、１０Ｖ）以上を越えたとき、その電圧から必要な電源（例えば、３Ｖ）を生成し、不揮発性メモリ３３、書き換え回路３４および読み出し回路３５に供給する。
【００３４】
不揮発性メモリ３３として、例えば、ＥＥＰＲＯＭ、フラッシュメモリ等の半導体メモリを用いることができる。
【００３５】
書き換え回路３４は、ＲＯＭ３４０と、タグ３０の各部を制御するＣＰＵ３４１とからなる。ＲＯＭ３４０には、ＣＰＵ３４１の制御プログラムが格納されている。なお、書き換え回路３４は、ロジック回路によって構成してもよい。
【００３６】
ＣＰＵ３４は、電源生成回路３２から電圧が出力されたとき、不揮発性メモリ３３の記憶内容（回数データ）を書き換える。すなわち、ＣＰＵ３４は、不揮発性メモリ３３から回数データを読み出し、そのデータをインクリメントして不揮発性メモリ３３に書き込む。
【００３７】
読み出し回路３５は、不揮発性メモリ３３から回数データを読み出して変調し、電界効果トランジスタ３１２に入力する。変調方式として、例えば、振幅偏移変調（ＡＳＫ; amplitude shift keying）、周波数偏移変調（ＦＳＫ; frequency shift keying）、位相偏移変調（ＰＳＫ; phase shift keying）等を用いることができる。
【００３８】
図４は、共振回路３１が出力する電圧波形の一例を示す図である。タグ３０が電磁波の領域１２０ａを通過する際、共振回路３１がカプラ２０からの電磁波に共振し、図４に示すような共振回路電圧を発生する。電源生成回路３２は、共振回路電圧が基準電圧Ｖｃを超えたとき、共振回路電圧から必要な電源を生成し、それを不揮発性メモリ３３、書き換え回路３４および読み出し回路３５に供給する。共振回路電圧が基準電圧Ｖｃを超えている時間（動作時間）に回数データの更新および送信が行われる。
【００３９】
（画像形成装置の全体の動作）
次に、画像形成装置１００の全体の動作を説明する。図示しない主制御部が、ベルト駆動開始信号をベルト駆動制御部に入力すると、ベルト駆動制御部は、駆動モータを駆動して中間転写ベルト３の走行を開始し、中間転写ベルト３が所定の速度で走行するようにベルト駆動制御を行う。画像読取部１０２が、原稿を走査して画像データを読み取ると、画像処理部１０３は、画像読取部１０２に読み取られた画像データを色分解し、色分解した各色の画像データに所定の画像処理を施す。各画像形成ユニット１１０，１２０，１３０，１４０の露光部１１３は、露光用帯電器１１２により帯電処理された感光体ドラム１１１を画像処理部１０３による各色の画像データに応じたレーザービームで露光して静電潜像を形成する。現像器１１４は、感光体ドラム１１１に形成された静電潜像を各カラーに応じたトナーで現像する。感光体ドラム１１１が回転して現像トナー像が１次転写位置まで運ばれると、転写用帯電器１１５が付与する電荷によって中間転写ベルト３上に各色のトナー像が順次転写され、フルカラーのカラートナー像となる。最終トナー像が転写された中間転写ベルト３が、２次転写定着部３ａに到達すると、図示しない給紙装置から送出されレジストローラ１５１で待機していた記録用紙Ｐは、レジストローラ１５１が所定のタイミングで回転すると、用紙搬送路１５０に沿って２次転写定着部３ａに搬送される。記録用紙Ｐは、トナー像が２次転写定着部３ａで２次転写定着ローラ１５４Ａ，１５４Ｂによって転写，定着された後、図示しない排紙トレーに排出される。このようにしてフルカラー画像の複写が行われる。転写後の中間転写ベルト３は、除電器１５５により除電され、クリーナー１５６で清掃される。
【００４０】
（寿命情報記録装置の動作）
感光体ドラム１１１に設けられたカプラ２０の発振回路２２は、タグ３０の共振周波数と同じ又は近似した周波数で発振し、アンテナ回路２１は、電磁波を発生している。感光体ドラム１１１が画像形成動作に伴って１回転すると、タグ３０がカプラ２０から発生している電磁波の領域２１０ａを通過する。共振回路３１は、電磁波の周波数で共振し、電圧を発生する。電源生成回路３２は、共振回路３１で発生した電圧から必要な電源を生成し、不揮発性メモリ３３、書き換え回路３４および読み出し回路３５に供給する。
【００４１】
図５は、タグ３０の動作の一例を示す図である。書き換え回路３４のＣＰＵ３４１は、電源生成回路３２から電源が供給されると、図５に示すように、不揮発性メモリ３３から回数データを読み出してそのデータをインクリメントして不揮発性メモリ３３に書き込む（メモリライト）。読み出し回路３５は、不揮発性メモリ３３から回数データを読み出し（メモリリード）、そのデータを変調して共振回路３１の電界効果トランジスタ３１２を駆動する。
【００４２】
共振回路３１は、電界効果トランジスタ３１２のオンオフ動作により回数データが変調された負荷変調信号を発生する。カプラ２０のアンテナ回路２１は、タグ３０からの負荷変調信号を受信する。受信回路２３は、負荷変調信号を復調し、回数データを取得する。
【００４３】
［第２の実施の形態］
図６は、本発明の第２の実施の形態に係る寿命情報記録装置のタグの動作の一例を示す図である。第１の実施の形態では、書き換え回路３４が不揮発性メモリ３３に回数データを書き込んだ後に読み出し回路３５が不揮発性メモリ３３から回数データを読み出したが、本実施の形態は、書き換え回路３４が不揮発性メモリ３３に回数データを書き込む前に読み出し回路３５が不揮発性メモリ３３から回数データを読み出すものである。
【００４４】
この読み出し回路３５は、書き換え回路３４のメモリライトの動作を待たずに不揮発性メモリ３３から回数データを読み出し（メモリリード）、そのデータをインクリメントして変調し、共振回路３１から負荷変調信号として送信する。
【００４５】
［第３の実施の形態］
図７は、本発明の第３の実施の形態に係る寿命情報記録装置の一例を示し、（ａ）は、データ書き込み時を示すブロック図、（ｂ）は、データ読み出し時を示すブロック図である。第１の実施の形態では、カプラ２０に受信回路２３を設けたが、本実施の形態は、カプラ２０に受信回路２３を設けず、別個のタグリーダ５０によって不揮発性メモリ３３の記憶内容を読み取るようにしたものである。
【００４６】
ダグリーダ５０は、第１の実施の形態のカプラ２０と同様に、第１のアンテナコイル５１０、コンデンサ５１１およびダイオード５１２からなるアンテナ回路５１と、発振回路５２と、受信回路５３とから構成されている。
【００４７】
（寿命情報記録装置の動作）
感光体ドラム１１１が画像形成動作に伴って１回転すると、タグ３０がカプラ２０から発生している電磁波の領域２１０ａを通過する。共振回路３１は、電磁波の周波数で共振し、電圧を発生する。電源生成回路３２は、共振回路３１で発生した電圧から必要な電源を生成し、不揮発性メモリ３３、書き換え回路３４および読み出し回路３５に供給する。
【００４８】
書き換え回路３４のＣＰＵ３４１は、電源生成回路３２から電源が供給されると、不揮発性メモリ３３から回数データを読み出し、そのデータをインクリメントして不揮発性メモリ３３に書き込む。
【００４９】
感光体ドラム１１１の交換時にタグ３０が付加されたままの状態で感光体ドラム１１１を回収した後、図７（ｂ）に示すように、タグリーダ５０によって不揮発性メモリ３３の記憶内容を読み取る。すなわち、タグ３０にタグリーダ５０を近づける。タグリーダ５０の発振回路５２は、アンテナ回路５１をタグ３０の共振周波数と同じ又は近似した周波数で共振させる。タグ３０の共振回路３１は、電磁波の周波数で共振し、電圧を発生する。電源生成回路３２は、共振回路３１で発生した電圧から必要な電源を生成し、不揮発性メモリ３３、書き換え回路３４および読み出し回路３５に供給する。
【００５０】
書き換え回路３４のＣＰＵ３４１は、電源生成回路３２から電源が供給されると、不揮発性メモリ３３から回数データを読み出し、そのデータをインクリメントして不揮発性メモリ３３に書き込む。読み出し回路３５は、不揮発性メモリ３３から回数データを読み出し、そのデータを変調して共振回路３１に入力する。
【００５１】
共振回路３１は、回数データが変調された電磁波を発生する。タグリーダ５０のアンテナ回路５１は、タグ３０からの電磁波を受信する。受信回路５３は、電磁波を復調し、回数データを取得する。但し、本実施の形態では、画像形成装置１００から感光体ドラム１１１を回収した後、回数データが増加しているので、増加分を差し引く必要がある。
【００５２】
［第４の実施の形態］
図８は、本発明の第４の実施の形態に係る寿命情報記録装置の一例を示し、（ａ）は、データ書き込み時を示すブロック図、（ｂ）は、データ読み出し時を示すブロック図である。本実施の形態は、第２の実施の形態と同様に、カプラ２０に受信回路２３を設けず、タグ３０は、読み出し回路３６から端子３７を導出している。
【００５３】
（寿命情報記録装置の動作）
第３の実施の形態と同様に、感光体ドラム１１１が画像形成動作に伴って１回転すると、タグ３０がカプラ２０から発生している電磁波の領域２１０ａを通過する。共振回路３１は、電磁波の周波数で共振し、電圧を発生する。電源生成回路３２は、共振回路３１で発生した電圧から必要な電源を生成し、不揮発性メモリ３３、書き換え回路３４および読み出し回路３５に供給する。
【００５４】
書き換え回路３４のＣＰＵ３４１は、電源生成回路３２から電源が供給されると、不揮発性メモリ３３から回数データを読み出し、そのデータをインクリメントして不揮発性メモリ３３に書き込む。
【００５５】
感光体ドラム１１１の交換時に、タグ３０が付加されたままの状態で感光体ドラム１１１を回収した後、図８（ｂ）に示すように、受信回路４０から導出している端子４１をタグ３０側の端子３７に接続する。
【００５６】
読み出し回路３６は、受信回路４０からの読み出し要求に応じて不揮発性メモリ３３から回数データを読み出し、その回数データを変調せずに端子３７、４１を介して受信回路４０に送信する。
【００５７】
［第５の実施の形態］
図９は、本発明の第５の実施の形態に係る画像形成装置の要部を示す図である。なお、図９中、中間転写ベルト３以外の図示を省略している。第１の実施の形態では、寿命情報記録装置１０を感光体ドラム１１１に設けたが、本実施の形態は、寿命情報記録装置１０を中間転写ベルト３に設けたものである。
【００５８】
中間転写ベルト３のトナー像が転写される領域以外の領域にタグ３０を設け、タグ３０が電磁波の領域２１０ａを通過するように、カプラ２０の第１のアンテナコイル２１０を配置する。
【００５９】
（寿命情報記録装置の動作）
第１の実施の形態と同様に、中間転写ベルト３が画像形成動作に伴って１回転すると、タグ３０がカプラ２０から発生している電磁波の領域２１０ａを通過する。共振回路３１は、電磁波の周波数で共振し、電圧を発生する。電源生成回路３２は、共振回路３１で発生した電圧から必要な電源を生成し、不揮発性メモリ３３、書き換え回路３４および読み出し回路３５に供給する。
【００６０】
書き換え回路３４のＣＰＵ３４１は、電源生成回路３２から電源が供給されると、不揮発性メモリ３３から回数データを読み出し、そのデータをインクリメントして不揮発性メモリ３３に書き込む。読み出し回路３５は、不揮発性メモリ３３から回数データを読み出し、そのデータを変調して共振回路３１に入力する。
【００６１】
共振回路３１は、回数データが変調された負荷変調信号を発生する。カプラ２０のアンテナ回路２１は、タグ３０からの負荷変調信号を受信する。受信回路２３は、負荷変調信号を復調し、回数データを取得する。
【００６２】
［他の実施の形態］
なお、本発明は、上記各実施の形態に限定されず、本発明の趣旨を逸脱しない範囲内で種々な変形が可能である。
【００６３】
例えば、タグは、電池によって駆動されるアクディブ型を用いてもよい。また、タグ３０側で回数データをインクリメントしてカプラ２０、受信回路４０、タグリーダ５０等に送信したが、カプラ２０等の側でインクリメントしてもよい。
【００６４】
上記各実施の形態では、画像形成装置として、電子写真方式について説明したが、インクジェット方式等の他の方式でもよい。また、本発明が適用される装置は、画像形成装置に限定されず、他の装置でもよい。さらに、交換部品は、感光体ドラム、中間転写ベルトに限定されず、モータ等の他の部品でもよい。
【００６５】
上記各実施の形態では、１回の画像形成動作に伴って感光体ドラムが１回転する場合について説明したが、本発明は、複数回の画像形成動作に伴って感光体が１回転する場合や、１回の画像形成動作に伴って感光体が複数回転する場合にも適用可能である。
【００６６】
また、本発明の趣旨を逸脱しない範囲内で各実施の形態の構成要素を任意に組み合わせることは可能である。例えば、第５の実施の形態の寿命情報記録装置の代わりに、第２乃至第４の実施の形態の寿命情報記録装置を用いてもよい。
【図面の簡単な説明】
【００６７】
【図１】図１は、本発明の実施の形態に係る画像形成装置の概略の構成例を示す図である。
【図２】図２は、寿命情報記録装置の一例を示し、（ａ）は、斜視図、（ｂ）は、正面図である。
【図３】図３は、寿命情報記録装置の一例を示す回路図である。
【図４】図４は、共振回路が出力する電圧波形の一例を示す図である。
【図５】図５は、タグの動作の一例を示す図である。
【図６】図６は、本発明の第２の実施の形態に係る寿命情報記録装置のタグの動作の一例を示す図である。
【図７】図７は、本発明の第３の実施の形態に係る寿命情報記録装置の一例を示し、（ａ）は、データ書き込み時を示すブロック図、（ｂ）は、データ読み出し時を示すブロック図である。
【図８】図８は、本発明の第４の実施の形態に係る寿命情報記録装置の一例を示し、（ａ）は、データ書き込み時を示すブロック図、（ｂ）は、データ読み出し時を示すブロック図である。
【図９】図９は、本発明の第５の実施の形態に係る画像形成装置の要部を示す図である。
【符号の説明】
【００６８】
１  ベルト駆動装置
２Ａ  駆動ローラ
２Ｂ  従動ローラ
３  中間転写ベルト
３ａ  ２次転写定着部
１０  寿命情報記録装置
２０  カプラ
２１  アンテナ回路
２２  発振回路
２３  受信回路
３０  タグ
３１  共振回路
３２  電源生成回路
３３  不揮発性メモリ
３４  書き換え回路
３５，３６  読み出し回路
３７  端子
４０  受信回路
４１  端子
５０  タグリーダ
５１  アンテナ回路
５２  発振回路
５３  受信回路
１００  画像形成装置
１０１  原稿載置台
１０２  画像読取部
１０３  画像処理部
１１０，１２０，１３０，１４０  画像形成ユニット
１１１  感光体ドラム
１１２  露光用帯電器
１１３  露光部
１１４  現像器
１１５  転写用帯電器
１１６  クリーナー
１１７  除電器
１５０  用紙搬送路
１５１  レジストローラ
１５４Ａ，１５４Ｂ  ２次転写定着ローラ
１５５  除電器
１５６  クリーナー
２１０  第１のアンテナコイル
２１０ａ  電磁波の領域
２１１  コンデンサ
２１２  ダイオード
３１０  第２のアンテナコイル
３１１Ａ，３１１Ｂ  コンデンサ
３１２  電界効果トランジスタ
３４０  ＲＯＭ
３４１  ＣＰＵ
Ｐ  記録用紙
【図１】
2008286847.tif 000003
【図２】
2008286847.tif 000004
【図３】
2008286847.tif 000005
【図４】
2008286847.tif 000006
【図５】
2008286847.tif 000007
【図６】
2008286847.tif 000008
【図７】
2008286847.tif 000009
【図８】
2008286847.tif 000010
【図９】
2008286847.tif 000011